(57)【要約】      （修正有）【課題】外径サイズの大きさや円筒形状により外周で滑りやすい円筒ドアノブにも対応できる接触対象と指手との直接接触を防ぐ携帯に適した小型、軽量で多機能のフィンガーガードを提供する。【解決手段】基本構造を銅、真鍮などの銅成分を含む素材、またはアルミ材それぞれ、または組み合わせで形成し、回転軸４により相互に回転させて重ね合わせる２ピース１、２で構成し、磁石７、８で相互のピースの回転を所定位置で停止保持させる機能を備え、押ボタン、サムターン対応の突起構造、レバーハンドル対応の押下構造、吊革の手掛け対応の円弧構造、ならびに円筒ドアノブの所定径の円筒外周を少なくとも３点で挟む構造とした。【選択図】図１
0003229532.tif 000002
【実用新案登録請求の範囲】
【請求項１】
指手を経てウイルスが感染する可能性の高いＡＴＭや券売機の操作ボタン、電車・バスの吊革、ドアノブ、など多様な接触対象と指手との直接接触を防ぐツールに関して、基本構造を銅、真鍮などの銅成分を含む素材、ならびにアルミ素材の何れか又はその組み合わせで形成し、回転軸により相互に回転させて重ね合わせる２ピースで構成し、相互のピースの回転を所定位置で停止保持させる機能を備え、押ボタン、サムターン対応の突起構造、レバーハンドル対応の押下構造、吊革の手掛け対応の円弧構造、ならびに円筒ドアノブの所定径の円筒外周を少なくとも３点で挟む構造など、多様な構造を備える多用途で小型、軽量なフィガーガード。
【請求項２】
２ピースそれぞれに、マグネットとマグネット、またはマグネットと強磁性体の吸引力により２ピースの回転を所定位置で停止保持する、請求項１、請求項２に記載するフィンガーガード。
【考案の詳細な説明】
【技術分野】
【０００１】最近は感染症としてＳＡＲＳ、コロナが脅威となっています。これらの感染経路としては、飛沫感染と接触感染の２つが考えられますが、接触感染に関しては感染者がくしゃみや咳を手で押さえた後、その手で周りの物に触れてウイルスが付き、別の人がその物に触ってウイルスが手に付着し、その手で口や鼻を触って粘膜から感染します。主な感染場所は電車やバスのつり革、ドアノブ、スイッチなどです。この接触感染を防ぐためには如何にしてウイルスに触れないかであり、携帯に適した小型、軽量な指手のウイルス防護具が求められている。
【背景技術】
【０００２】手や指を経由して口や鼻などからウイルスに感染しないために、手袋や布、チリ紙などによりウイルスが付着している可能性の高いスイッチやドアノブなどに手や指が直接触れない対策は取られていますが、ウイルスが付着した手袋や布、チリ紙などに不用意に触れる可能性も高い。このため、主な感染場所となる電車やバスのつり革、ドアノブ、スイッチなどに直接触れないためのツールが各種販売されているが、ＡＴＭや券売機の操作ボタン、電車・バスのつり革、ドアノブ、サムターン、円筒ドアノブなど多様な接触対象と指手との直接接触を防ぐために携帯に適した小型、軽量で多機能を搭載した単一ツールが求められている。
【考案が解決しようとする課題】
【０００３】ウイルスが指や手を経て感染する可能性の高い、ＡＴＭや券売機の操作ボタン、電車やバスのつり革、ドアノブなど多様な接触対象と指手との直接接触を防ぐ携帯に適した小型、軽量で多機能を搭載した単一ツールを実現するには、押ボタン、サムターン、レバーハンドルに対応することは割と容易であるが、円筒ドアノブへの対応は外径サイズの大きさや円筒形状による外周の滑りやすさが大きな課題である。
【課題を解決するための手段】
【０００４】基本構造を銅、真鍮などの銅成分を含む素材、またはアルミ素材それぞれ、または組み合わせで形成し、回転軸により相互に回転させて重ね合わせる２ピースで構成し、相互のピースの回転を所定位置で停止保持させる機能を備え、押ボタン、サムターン対応の突起構造、レバーハンドル対応の押下構造、吊革の手掛け対応の円弧構造、ならびに円筒ドアノブの所定径の円筒外周を少なくとも３点で挟む構造により、携帯に適した小型、軽量で多機能を搭載した単一ツール。
【考案の効果】
【０００５】指手を経てウイルスが感染する可能性の高い押ボタン、サムターン対応の突起構造、吊革対応の円弧構造、レバーハンドル対応の押下構造、ならびに所定円筒径の円筒ドアノブ対応の挟構造などを単一ツールに搭載し、相互に回転させて重ね合わせる２ピース構造により、多様な接触対象と指手との直接接触を防ぐ、携帯に適した小型、軽量なフィンガーガード。
【考案を実施するための形態】
【０００６】図１に本考案によるフィンガーガードの概念図を示す。構成する素材としては、接触対象に触れる接触面積が小さくなるように構成しているため、アルミ素材のみを適応しても問題は無いが、インフルエンザのウイルスや大腸菌のような細菌、メチシリン耐性黄色ブドウ球菌（ＭＲＳＡ）のような「スーパー耐性菌」、さらには新型コロナウイルスであっても、大方の硬い素材の表面に落ちた場合、最大で４〜５日間“生き”続けるが、真ちゅう（黄銅）のような銅合金や銅の表面に落ちると、ものの数分で“死に”始め、数時間後には探知不能になると言われ、昔から我々の健康に欠かせないものとして認識されている銅、真鍮を適用することが更に望ましいため、全体を銅成分で形成するか、または全体をアルミとして指手に触れる部分を銅成分で形成することが考えられる。図１（１）は本考案によるフィンガーガードを開いた状態、（２）はピース１とピース２の２つのピースが回転軸４を中心として回転されてマグネット７，８の吸着により停止保持された状態を示し、図２（１）にピース１、（２）にピース２の構成を示し、図３に開いた状態の側面構造図を示す。
【０００７】押ボタン、サムターンは突起構造３で対応し、電車などの吊革の手掛には円弧構造５を懸けて窪み６に人指し指を掛けて、親指と中指でピース２を挟んで電車の揺れに対応する。窪み６は吊革に手荷物などを吊るす場合にも利用できる。レバーハンドルなどは図１（２）に示すフィンガーガードを閉じた状態で内面を利用して押し下げる。サイズ、形状などに於いて難易度が極めて高い接触対象は円筒ドアノブであり、円筒径は概略５０ｍｍ〜５５ｍｍと大きく、外周は完全な円筒状で滑り易く掴み難い反面、一般的な会議室などに於いては円筒ドアノブが多く利用されているため使用頻度は極めて高い。
【０００８】図６に円筒ドアノブに対応する構造の概念図を示す。図では円筒ドアノブの外周をＡ，Ｂ，Ｃの三点で挟んでいるが、Ａは回転軸、ＢとＣはチップ１とチップ２の開口端であり、開口端Ｂ，Ｃを結ぶ線が所定径の円筒の中心×より外側に位置すべく、チップ１ならびにチップ２の構造を設定することにより、円筒ドアノブの円筒外周がＡ，Ｂ，Ｃの３点により挟まれて脱落することが防がれ、チップ１とチップ２に指手で鋏圧を加えて円筒ドアノブを回転させることにより、ドアノブに直接指手を触れずにドアの開閉が出来る。図４，５，６は本考案によるフィンガーガードの接触対象への対応例を示している。
【実施例】
【０００９】図１に示す形状で、ピース１ならびにピース２をいずれも銅材で構成し、吊革の手掛対応の円弧５はφ２５ｍｍ、指掛け窪み６はφ２０ｍｍ、押ボタン、サムターン対応の突起３は７ｍｍ、７ならびに８はネオジュウムマグネットでφ４ｍｍ、ピース１，２の幅は６ｍｍ、ピースを重ねた状態における厚さは１０×２ｍｍ、幅は３７ｍｍ、高さは７５ｍｍです。円筒ドアノブの最大鋏サイズはφ５５ｍｍまで可能であり、一般的な円筒ドアノブへの対応が可能である。円筒ドアノブの挟構造は回転軸を含めて３点で構成したが、回転軸は利用せずにピースの内側に一点ずつ突起を設けて端点との４点で挟む構造も可能であり、更に鋏構造の接触点部を広くしたり、凹凸の滑り止め処理を施したりが有効である。鋏可能な円筒ドアノブの外径サイズに関しても、ピース１，２のサイズ、形状により任意に設定できる。最近は多くの場所で消毒液による手の消毒が行われているため、手の洗浄の際にフィンガーガードも同時に消毒すれば、ほぼ完璧なウイルス感染対策が行われる。なお消毒をこまめに行う前提では基本的な素材は銅材に限らずアルミ材のみでも問題なく、全体をアルミ材として指手の触れやすい部分のみを銅成分で形成しても良い。固定用のマグネットに関しては、７，８の何れか一方は強磁性体でも良く、各種の形状、ディメンジョン、素材などに関しては実施例に限定されず、本考案の趣旨を逸脱しない範囲であれば種々変形実施が可能である。
【図面の簡単な説明】
【００１０】
【図１】本考案によるフィンガーガードの概念図を示す。（１）は開いた状態  （２）は重ねて閉じた状態
【図２】フィンガーガードの構成チップの概念図を示す。（１）はピース１  （２）はピース２
【図３】フィンガーガードを開いた状態の側面図を示す。
【図４】フィンガーガードの接触対象への対応例を示す。
【図５】フィンガーガードの接触対象への対応例を示す。
【図６】フィンガーガードの接触対象への対応例を示す。
【符号の説明】１．ピース１
２．ピース２
３．突起
４．回転軸
５．円弧
６．窪み
７．マグネット
８．マグネット
【図１】
0003229532.tif 000003
【図２】
0003229532.tif 000004
【図３】
0003229532.tif 000005
【図４】
0003229532.tif 000006
【図５】
0003229532.tif 000007
【図６】
0003229532.tif 000008
【手続補正書】
【提出日】令和2年8月24日(2020.8.24)
【手続補正１】
【補正対象書類名】実用新案登録請求の範囲
【補正対象項目名】全文
【補正方法】変更
【補正の内容】
【実用新案登録請求の範囲】
【請求項１】
指手を経てウイルスが感染する可能性の高いＡＴＭや券売機の操作ボタン、電車・バスの吊革、ドアノブ、など多様な接触対象と指手との直接接触を防ぐツールに関して、基本構造を銅、真鍮などの銅成分を含む素材、ならびにアルミ素材の何れか又はその組み合わせで形成し、回転軸により相互に回転させて重ね合わせる２ピースで構成し、相互のピースの回転を所定位置で停止保持させる機能を備え、押ボタン、サムターン対応の突起構造、レバーハンドル対応の押下構造、吊革の手掛け対応の円弧構造、ならびに円筒ドアノブの所定径の円筒外周を少なくとも３点で挟む構造など、多様な構造を備える多用途で小型、軽量なフィガーガード。
【請求項２】
２ピースそれぞれに、マグネットとマグネット、またはマグネットと強磁性体の吸引力により２ピースの回転を所定位置で停止保持する、請求項１に記載するフィンガーガード。
【手続補正２】
【補正対象書類名】明細書
【補正対象項目名】０００９
【補正方法】変更
【補正の内容】
【０００９】図１に示す形状で、ピース１ならびにピース２をいずれも銅材で構成し、吊革の手掛対応の円弧５はφ２５ｍｍ、指掛け窪み６はφ２０ｍｍ、押ボタン、サムターン対応の突起３は７ｍｍ、７ならびに８はネオジュウムマグネットでφ４ｍｍ、ピース１，２の幅は６ｍｍ、ピースを重ねた状態における厚さは１０×２ｍｍ、幅は３７ｍｍ、高さは７５ｍｍです。円筒ドアノブの最大鋏サイズはφ５５ｍｍまで可能であり、一般的な円筒ドアノブへの対応が可能である。円筒ドアノブの挟構造は回転軸を含めて３点で構成したが、回転軸は利用せずにピースの内側に一点ずつ突起を設けて端点との４点で挟む構造も可能であり、更に鋏構造の接触点部を広くしたり、凹凸の滑り止め処理を施したりが有効である。鋏可能な円筒ドアノブの外径サイズに関しても、ピース１，２のサイズ、形状により任意に設定できる。最近は多くの場所で消毒液による手の消毒が行われているため、手の洗浄の際にフィンガーガードも同時に消毒すれば、ほぼ完璧なウイルス感染対策が行われる。なお消毒をこまめに行う前提では基本的な素材は銅材に限らずアルミ材のみでも問題なく、全体をアルミ材として指手の触れやすい部分のみを銅成分で形成しても良い。相互のピースの回転を所定位置で停止保持させる機能としては、ボール、ローラー、マグネットを利用したキャッチ構造でも良く、固定用のマグネットに関しては、７，８の何れか一方は強磁性体でも良いなど、各種構成の形状、ディメンジョン、素材などに関しては実施例に限定されず、本考案の趣旨を逸脱しない範囲であれば種々変形実施が可能である。